(57)【要約】【課題】感光体の露光装置及びその光量補正を行う制御手段を具備する画像形成装置において，装置の省スペース化及び露光装置（露光素子）の交換作業や組み立て作業の効率化（作業性向上）が可能な画像形成装置を提供すること。【解決手段】ＬＥＤ電流制御手段１２０とＬＥＤ電流出力手段１１２及びＬＥＤ光量の補正データ記憶手段１１４とをＩ２Ｃバスを用いて接続することにより，ＬＥＤ電流制御手段１２０とＬＥＤ電流出力手段１１２との間の制御信号ＤＡＴの伝送用の信号線と，ＬＥＤ電流制御手段１２０と補正データ記憶手段１１４との間の補正データ伝送用の信号線とを兼用する。補正データは圧縮して補正データ記憶手段１１４に記憶させ，ＬＥＤ電流制御手段１２０により読み出した後にデータ伸長して使用する。【選択図】図１
2004299318.tif 000002
【特許請求の範囲】
【請求項１】
複数のＬＥＤ素子により感光体上に画像形成するための露光を行う露光素子と，前記ＬＥＤ素子それぞれの駆動電流の補正に関する補正データを記憶する補正データ記憶手段と，該補正データ記憶手段内の前記補正データを読み出して該補正データに対応する前記ＬＥＤ素子それぞれの駆動電流の制御信号を出力するＬＥＤ電流制御手段と，前記制御信号に従って前記ＬＥＤ素子それぞれに駆動電流を可変出力するＬＥＤ電流出力手段とを具備し，前記露光素子，前記ＬＥＤ電流出力手段及び前記補正データ記憶手段が一体化されて当該画像形成装置に対して着脱可能に構成された画像形成装置であって，
前記ＬＥＤ電流制御手段と前記ＬＥＤ電流出力手段及び前記補正データ記憶手段とをＩ２Ｃバスを用いて接続することにより，前記ＬＥＤ電流制御手段と前記ＬＥＤ電流出力手段との間の前記制御信号伝送用の信号線と，
前記ＬＥＤ電流制御手段と前記補正データ記憶手段との間の前記補正データ伝送用の信号線と，
を兼用してなることを特徴とする画像形成装置。
【請求項２】
前記補正データが前記補正データ記憶手段に圧縮されて記憶され，
前記ＬＥＤ電流制御手段が，圧縮された前記補正データを伸張するデータ伸長手段を具備してなる請求項１に記載の画像形成装置。
【発明の詳細な説明】
【０００１】
【発明の属する技術分野】
本発明は，感光体に対する露光素子を構成する複数のＬＥＤ素子それぞれの駆動電流（光量）を補正する機能を有する画像形成装置に関するものである。
【０００２】
【従来の技術】
従来，複数のＬＥＤ素子が配列されたＬＥＤチップアレイを感光体への露光素子として利用したプリンタヘッド（以下，「ＬＰＨ」と称す）が搭載されたプリンタ装置，複写装置等の画像形成装置が普及している。
このような電子画像形成装置は，以前は専らモノクロの文字や線画のみを印字出力することに用いられていたため，前記ＬＥＤ素子は，点灯／消灯の２階調で露光制御されるだけであり，前記ＬＥＤ素子個々の発光特性に多少のばらつきがあっても，印字性能に大きな影響を及ぼすことはなかった。
しかしながら，近年，電子画像形成装置においても，フルカラー画像等の多値階調で画像出力することが多くなり，この場合，前記ＬＥＤ素子の発光特性のばらつきは，濃度むらや色むらとなって現れ，出力画像の再現性（画像品質）を著しく低下させる要因となる。
これを解決するため，従来，前記ＬＥＤ素子個々の発光特性のばらつきを補正することが行われている。
【０００３】
図３は，従来の電子画像形成装置１００における露光装置１１０’とこれを制御する露光装置制御手段１２０’とのシステムブロック図である。
前記露光装置１１０’は，感光体の露光を行う所定ビット（Ｎビット）分のＬＥＤ素子が配列されたＬＥＤチップアレイ１１１と，該ＬＥＤチップアレイ１１１の順方向電流制御および入力データのシフト動作を行なうＩＣであるＬＥＤ電流出力部１１２’（ＬＥＤ（Ａ）  ＤＲ  ＩＣ）と，前記ＬＥＤチップアレイ１１１のダイナミック点灯制御（ＬＥＤカソード端子のｏｎ／ｏｆｆ制御）を行なうためのＬＥＤ点灯制御部１１３（ＬＥＤ（Ｋ）  ＤＲ  ＩＣ）と，Ｅ２ＰＲＯＭ等の不揮発性の記憶手段１１４’とを具備している。
また，前記露光装置制御手段１２０’は，前記露光装置１１０’の制御のための各種演算を行うＣＰＵ１２１’と，該ＣＰＵ１２１’による演算に必要な各種プログラム及びデータが一時記憶されるＲＡＭ１２２と，前記ＣＰＵ１２１’と前記ＲＡＭ１２２や前記ＬＥＤ電流出力部１１２’とのインターフェース回路を構成するＡＳＩＣ等の制御回路１２３’とを具備している。
【０００４】
図４は，前記ＬＥＤ電流出力部１１２’のシステムブロック図である。
図４に示すように，前記ＬＥＤ電流出力部１１２’は，複数のデータラッチフリップフロップ（Ｆ／Ｆ）からなり，所定ビット（Ｎビット）のシフトレジスタ機能及びデータホールド機能を有するデータ入力部２０１と，該データ入力部２０１にクロック信号を供給するクロックカウンタ２０２と，前記ＬＥＤチップアレイ１１１を構成する前記ＬＥＤ素子それぞれについて設けられ，所定の基準出力用の定電流電源（図４の５ｍＡの電源）及びその出力に電流を加算補正するための出力電流の異なる複数の補正用の定電流電源（図４の５ｍＡ以外の電源）を有する電源ブロック２０３とを具備している。
前記ＬＥＤチップアレイ１１１における前記ＬＥＤ素子個々の発光量，即ち，駆動電流は，前記露光装置制御手段１２０’における前記ＣＰＵ１２１’から前記制御回路１２３’を介して出力される補正信号ＣＤ０〜ＣＤ５に従って，前記ＬＥＤ電流出力部１１２’の前記データ入力部２０１により前記補正用の定電流電源の出力／非出力（ＯＮ／ＯＦＦ）がスイッチ切り替えされることにより制御される。図４の例では，０．１［ｍＡ］ステップで６４段階の電流制御が可能で，５．０［ｍＡ］〜１１．３［ｍＡ］の前記ＬＥＤ素子の駆動電流の制御が可能である。
さらに，前記ＣＰＵ１２１’から前記制御回路１２３’を介して出力される発光制御信号ＤＡＴに従って，全ての前記ＬＥＤ素子への駆動電源の供給／非供給（発光／非発光）がスイッチ切り替えされる。
画像形成中（前記露光素子１１１の動作中）は，前記発光制御信号ＤＡＴ（画像データ）とこれに対応する補正信号ＣＤ０〜ＣＤ５とが同期して出力され，前記データ入力部２０１に入力される。前記データ入力部２０１は，入力した信号をラッチ（保持）し，これが次のクロック入力で次段のデータラッチに入力される構成となっており，シフトレジスタを構成している。
また，前記ＬＥＤチップアレイ１１１の発光時間は，前記ＣＰＵ１２１’から前記制御回路１２３’を介して前記ＬＥＤ点灯制御部１１３に出力されるストローブ信号ＳＴＢ＊の長さで決定される。
【０００５】
前記ＬＥＤ素子各々の光量補正（駆動電流補正）のための補正データは，前記露光装置１１０’の前記記憶手段１１４’（図３）に予め記憶させておく。そして，前記記憶手段１１４’から所定の専用の制御信号線１２０ａを介してその補正データが前記露光装置制御手段１２０’側の前記ＣＰＵ１２１’により読み出され，その補正データに対応した補正信号が前記ＣＰＵ１２１’から前記制御回路１２３’を介して前記露光装置１１０’側へ出力される。
前記補正データは，予め（装置の出荷前に）光パワーメータ等の光量測定装置を用いて全ＬＥＤ素子の発光量のバラツキを測定し，そのバラツキを補正する（均一化する）値を算出して前記記憶手段１１４’に記憶させておく。
【０００６】
ここで，前記ＬＥＤチップアレイ１１１は経時劣化する部品であるため，メンテナンス時に交換可能とする必要がある。さらに，前記記憶手段１１４’に記憶される前記補正データは，前記ＬＥＤチップアレイ１１１の個体差（製品バラツキ）に基づくものであるため，前記ＬＥＤチップアレイ１１１が交換されれば，当然に前記補正データの内容もそれに対応するものに更新しなければならない。
このため，前記ＬＥＤチップアレイ１１１と前記補正データを記憶する前記記憶手段１１４’とは，前記露光装置１１０’として１ユニット化（一体化）され，電子画像形成装置１００本体に対し着脱可能に構成されている。これにより，前記ＬＥＤチップアレイ１１１とその補正データを記憶する前記記憶手段１１４とをシリアル番号等により関連づけて管理したり，前記ＬＥＤチップアレイ１１１の交換時に前記記憶手段１１４も別途交換したりする手間が省ける。
一方，前記露光装置制御手段１２０’は基本的には経時劣化するものではないため，メンテナンス時に交換可能とする必要はない。
このため，従来，前記露光装置１１０’（の前記記憶手段１１４）と前記露光装置制御手段１２０’の前記ＣＰＵ１２１’との間の専用の制御信号線１２０ａ（信号経路）の途中には，前記露光装置１１０’を着脱可能とするための不図示のコネクタ（或いはソケット）が設けられている。このような構成は，例えば，特許文献１等に示されている。
【０００７】
一方，従来，複数のデバイス間を接続してそれらの信号伝送を行うバスの一つであるＩ２Ｃバス（フィリップス社の登録商標，以下同じ）が知られている。このＩ２Ｃバスは，各デバイスそれぞれに固有のアドレスを割り振り，これを指定することにより，シリアルデータラインとシリアルクロックラインの２本のバスライン（信号線）のみで各デバイス間の信号伝送が可能なバスである。Ｉ２Ｃバスについては，非特許文献１等に詳しい。
【０００８】
【特許文献１】
特開平５−１６９７２４号公報
【非特許文献１】
「Ｃ言語によるＰＩＣプログラミング入門」技術評論社
【０００９】
【発明が解決しようとする課題】
しかしながら，図３に示したような従来の構成では，前記露光装置制御手段１２０’側の前記ＣＰＵ１２１’と前記露光装置１１０’側の前記記憶手段１１４との間に，専用の制御信号線１２０ａ及びその経路中に着脱用のコネクタ等が必要となり，これら制御信号線１２０ａやそのコネクタ等の存在が，スペース効率の悪化や，前記露光装置１１０’（ＬＰＨ）の交換作業や組み立て作業の効率悪化につながるという問題点があった。
従って，本発明は上記事情に鑑みてなされたものであり，その目的とするところは，感光体の露光装置及びその光量補正を行う制御手段を具備する画像形成装置において，装置の省スペース化及び露光装置（露光素子）の交換作業や組み立て作業の効率化（作業性向上）が可能な画像形成装置を提供することにある。
【００１０】
【課題を解決するための手段】
上記目的を達成するために本発明は，複数のＬＥＤ素子により感光体上に画像形成するための露光を行う露光素子と，前記ＬＥＤ素子それぞれの駆動電流の補正に関する補正データを記憶する補正データ記憶手段と，該補正データ記憶手段内の前記補正データを読み出して該補正データに対応する前記ＬＥＤ素子それぞれの駆動電流の制御信号を出力するＬＥＤ電流制御手段と，前記制御信号に従って前記ＬＥＤ素子それぞれに駆動電流を可変出力するＬＥＤ電流出力手段とを具備し，前記露光素子，前記ＬＥＤ電流出力手段及び前記補正データ記憶手段が一体化されて当該画像形成装置に対して着脱可能に構成された画像形成装置であって，前記ＬＥＤ電流制御手段と前記ＬＥＤ電流出力手段及び前記補正データ記憶手段とをＩ２Ｃバスを用いて接続することにより，前記ＬＥＤ電流制御手段と前記ＬＥＤ電流出力手段との間の前記制御信号伝送用の信号線と，前記ＬＥＤ電流制御手段と前記補正データ記憶手段との間の前記補正データ伝送用の信号線と，を兼用してなることを特徴とする画像形成装置として構成されるものである。
これにより，従来の前記ＬＥＤ電流制御手段（図３の前記露光装置制御手段１２０’に相当）と前記補正データ記憶手段（図３の前記記憶手段１１４’に相当）との間の信号線及びそのコネクタ等を設ける必要がなくなり，装置の省スペース化及び露光素子（露光装置）の交換作業や組み立て作業の効率化（作業性向上）が可能となる。
【００１１】
さらに，前記補正データが前記補正データ記憶手段に圧縮されて記憶され，前記ＬＥＤ電流制御手段が，圧縮された前記補正データを伸張するデータ伸長手段を具備すれば，前記補正データ記憶手段の記憶容量の小容量化及び前記補正データの前記ＬＥＤ電流制御手段への読み出し速度向上につながる。
【００１２】
【発明の実施の形態】
以下添付図面を参照しながら，本発明の実施の形態について説明し，本発明の理解に供する。尚，以下の実施の形態は，本発明を具体化した一例であって，本発明の技術的範囲を限定する性格のものではない。
ここに，図１は本発明の実施の形態に係る画像形成装置Ｘの概略断面図，図２は本発明の実施の形態に係る画像形成装置Ｘの主要部である露光装置とその制御手段とのシステムブロック図，図３は従来の画像形成装置の主要部である露光装置とその制御手段とのシステムブロック図，図４は従来の画像形成装置の露光装置を構成するＬＥＤ電流出力部のシステムブロック図である。
【００１３】
まず，図１を用いて，本発明の実施の形態に係る画像形成装置Ｘの全体構成について説明する。本画像形成装置Ｘは，複写機能及びプリンタ機能を有する複合機である。
画像形成装置Ｘは下方に複数の記録紙収納部３１を有し，その上方に両面ユニット３２が配置され，その上方には画像形成部３３と定着装置３が設けられている。更にその上部には画像読み取り装置３５と自動原稿搬送装置３６が取り付けられている。また，画像形成装置Ｘの本体上面には，液晶タッチパネル等の表示操作部４が配置され，利用者は，該表示操作部４の操作によって，画質モード選択や記録紙収納部３１の有する複数の記録紙カセットのいずれを使用するかの選択，画像読み取りの開始操作等の各種操作を行う。
画像形成部３３には感光体ドラム４０の周囲に，帯電装置４１，現像装置４２，クリーニング装置４３が配置された作像ユニット４４が設けられており，下方には感光体ドラム４０に対向して転写装置４５が配置されている。感光体ドラム４０は，例えば直径８４ｍｍのアルミ円筒の表面に感光層が形成されており，図１において時計方向に回転駆動される。帯電装置４１は回転する感光体ドラム４０の表面をコロナ放電により数百Ｖに帯電させる。感光体ドラム４０表面の帯電装置４１よりも回転方向下流側では，ＬＥＤアレイヘッドとセルフォックレンズ等から構成される露光装置１１０により露光されて静電潜像が形成される。この露光装置１１０の発光出力の制御に用いられる画像データは，画像処理装置３０から入力される。
即ち，画像読み取り装置３５からミラーにより導かれた原稿画像光は，イメージセンサ３７に入射され，ここでＡ／Ｄ変換されてデジタル画像データ（原稿画像データ）として画像処理装置３０に入力される。さらに，原稿画像データは，画像処理装置３０において，所定の画像処理が施され，画像処理後の画像データが露光装置制御手段１２０に入力され，該露光装置制御手段１２０により，画像処理後の画像データに従った露光が行われるように露光装置１１０が制御される。
【００１４】
現像装置４２では現像ローラが回転して，現像ローラ表面に形成された磁気ブラシが感光体ドラム４０表面に接触し，静電潜像に対して帯電したトナーを付着させてトナー画像を形成する。該トナー画像は転写装置４５において，記録紙収納部３１から搬送されてきた記録紙が感光体ドラム４０とその周速と同じ速度で移動する転写ベルト４６との間に挟持された状態で搬送されながら帯電されてトナー画像が記録紙上に転写される。
さらに，転写装置４５の下流側にはクリーニング装置４３が配置されており，感光体ドラム４０の表面上に残留したトナーや他の付着物が除去される。本画像形成装置Ｘの転写装置４５は，転写ベルトを用いたものが採用されているが，これを転写ローラに置き換えることも可能である。
前記転写装置４５によってトナー像が転写された記録紙は，その搬送方向下流側に設けられた定着装置３に運ばれ，定着装置３の定着ローラ１とこれに対向する加圧ローラ２の間を通り，記録紙上のトナーが内部にヒータを備えた定着ローラ１の熱によって溶融定着される。加圧ローラ２は，記録紙を前記定着ローラ１に押し付けて，トナーの定着を確実にするためのものである。
【００１５】
図２は，画像形成装置Ｘにおける露光装置１１０と，これを制御する露光装置制御手段１２０（前記ＬＥＤ電流制御手段の一例）とのシステムブロック図である。
前記露光装置１１０は，従来の前記露光装置１１０（図３）と同様に，感光体の露光を行う所定ビット（Ｎビット）分のＬＥＤ素子が配列されたＬＥＤチップアレイ１１１（前記露光素子の一例）と，該ＬＥＤチップアレイ１１１の順方向電流制御および入力データのシフト動作を行なうＩＣであるＬＥＤ電流出力部１１２（ＬＥＤ（Ａ）  ＤＲ  ＩＣ，前記ＬＥＤ電流出力手段の一例）と，前記ＬＥＤチップアレイ１１１のダイナミック点灯制御（ＬＥＤカソード端子のｏｎ／ｏｆｆ制御）を行なうためのＬＥＤ点灯制御部１１３（ＬＥＤ（Ｋ）  ＤＲ  ＩＣ）と，Ｅ２ＰＲＯＭ等の不揮発性の記憶手段１１４（前記補正データ記憶手段の一例）とを具備している。ここで，前記ＬＥＤ電流制御部１１２の構成は，図４に示した前記電流制御部１１２’と同様であるのでここでは説明を省略する。
また，前記露光装置制御手段１２０も，従来の前記露光装置制御手段１２０’と同様に，前記露光装置１１０の制御のための各種演算を行うＣＰＵ１２１と，該ＣＰＵ１２１による演算に必要な各種プログラム及びデータが一時記憶されるＲＡＭ１２２と，前記ＣＰＵ１２１と前記ＲＡＭ１２２や前記ＬＥＤ電流出力部１１２とのインターフェース回路を構成するＡＳＩＣ等の制御回路１２３とを具備している。
前記記憶手段１１４には，前記ＬＥＤチップアレイ１１１の各ＬＥＤ素子の光量補正（駆動電流補正）等に関する補正データが所定の圧縮方式により圧縮されてその圧縮方式に関する情報とともに予め記憶されている。データ圧縮方式としては，ランレングス方式，ＭＲ方式，ＭＭＲ方式，ＴＩＦＦ方式等のロスレス方式の圧縮方式が考えられる。
前記記憶手段１１４に記憶されるデータは，前記ＬＥＤチップアレイ１１１のＬＥＤ素子ごとに設定される光量補正データ（駆動電流の補正データ）に加え，前記露光装置１１０の生産番号（シリアルＮｏ．）や画素数，出力光量，補正データ圧縮方式等のデータである。
本画像形成装置Ｘにおいても，従来と同様に，前記ＬＥＤチップアレイ１１１と前記補正データを記憶する前記記憶手段１１４とは，前記露光装置１１０として１ユニット化（一体化）され，画像形成装置Ｘ本体に対し着脱可能に構成されている。これにより，前記ＬＥＤチップアレイ１１１とその補正データを記憶する前記記憶手段１１４とをシリアル番号等により関連づけて管理したり，前記ＬＥＤチップアレイ１１１の交換時に前記記憶手段１１４も別途交換したりする手間が省ける。
【００１６】
本画像形成装置Ｘの特徴は，前記制御露光装置制御手段１２０における前記制御回路１２３と，前記ＬＥＤ電流出力部１１２及び前記記憶手段１１４とをＩ２Ｃバスを用いて接続することにより，前記制御回路１２３と前記ＬＥＤ電流出力部１１４との間の前記発光制御信号ＤＡＴの伝送用の信号線と，前記制御回路１２３１２３と前記データ記憶手段１１４との間の前記補正データの伝送用の信号線とを兼用して構成されている点である。
Ｉ２Ｃバスでは，各デバイス，即ち，前記制御回路１２３，前記ＬＥＤ電流出力部１１２（ＬＥＤ（Ａ）  ＤＲ  ＩＣ）及び前記記憶手段１１４（Ｅ２ＰＲＯＭ）それぞれに固有のアドレスを割り振り，前記制御回路１２３を介した前記ＣＰＵ１２１（マスタ）が，アドレスを指定して信号伝送先を切り替えることにより，各デバイスの信号出力が衝突しないように制御される。このようなアドレス管理及び信号伝送管理を行うためのＩ２Ｃバスインターフェースが，各デバイス１２３，１１２，１１４に内蔵されている。
ここで，前記制御回路１２３におけるＩ２Ｃバスインターフェースの割り付けは，前記制御回路１２３におけるクロック出力ＣＬＫ，前記発送制御信号ＤＡＴ及びリセット出力ＲＳＴ＊が，それぞれＩ２ＣバスインターフェースにおけるＳＣＬ（入力）端子，ＳＤＡ端子及びＷＰ（入力）端子にそれぞれ割り付けられている。ここで，Ｉ２ＣバスインターフェースのＳＤＡ端子は入力／出力端子であるので，このＳＤＡ端子が出力端子となる場合には，前記制御回路１２３は，そのＤＡＴ端子を出力ポートから入力ポートに切り替えてデータの読み取りを行なう。
【００１７】
本画像形成装置Ｘでは，電源が投入されると，前記ＣＰＵ１２１は，前記記憶手段１４１内の補正データ等を読み出すために，まず，前記制御回路１２３（ＡＳＩＣ）を前記記憶手段１４１（Ｅ２ＰＲＯＭ）との信号伝送を行うモードに切り替え，所定の制御タイミングでデータを読み出して前記ＲＡＭ１２２に格納する。このとき，前記補正データの圧縮方式に関するデータも読み出され，前記ＣＰＵ１２１により，その圧縮方式に対応したデータ伸長プログラム（前記データ伸長手段の一例）が実行されて前記補正データが前記ＲＡＭ１２２内で伸長（復元）される。このように伸長（復元）された前記補正データは，前記制御回路１２３を介して前記ＬＥＤ電流出力部１１２に出力される。
これにより，前記ＬＥＤ電流出力部１１２によって，前記ＬＥＤ素子それぞれの発光量のバラツキが補正（均一化）されるようにレベル調節された駆動電流が前記ＬＥＤ素子それぞれ（露光素子１１１）に供給される。
一方，前記記憶手段１１４は，前記露光素子１１１による画像形成枚数等の実績データの記憶手段にも兼用されている。ここで，前記記憶手段１１４に対してデータの読み書きを行うための信号線と，前記発光制御信号の制御線とが兼用されているため，画像形成中（即ち，前記ＬＥＤ電流出力部１１２へ発光制御信号を出力中）は，前記記憶手段１１４へのアクセスはできない。このため，前記ＣＰＵ１２１は，画像形成中には前記実績データを前記ＲＡＭ１２２に一時格納し，画像形成動作中以外のタイミングで，前記実績データを前記ＲＡＭ１２２から前記記憶手段１１４へ転送する。
これにより，信号線を兼用してもデータの衝突を防止できる。
【００１８】
【発明の効果】
以上説明したように，本発明によれば，ＬＥＤ電流制御手段とＬＥＤ電流出力手段及びＬＥＤ電流の補正データ記憶手段とをＩ２Ｃバスを用いて接続することにより，信号線を兼用して省線化できる。これにより，ＬＥＤ電流制御手段（図１の前記露光装置制御手段１２０に相当）と補正データ記憶手段（図１の記憶手段１１４に相当）との間の専用の信号線を設ける必要がなくなる上，着脱可能に構成された露光素子のユニットにおいては，その信号線の経路のコネクタ等も省略できるので，装置を省スペース化及び露光素子（露光装置）の交換作業や組み立て作業を効率化（作業性向上）する上で特に効果的である。
【図面の簡単な説明】
【図１】本発明の実施の形態に係る画像形成装置Ｘの概略断面図。
【図２】本発明の実施の形態に係る画像形成装置Ｘの主要部である露光装置とその制御手段とのシステムブロック図。
【図３】従来の画像形成装置の主要部である露光装置とその制御手段とのシステムブロック図。
【図４】従来の画像形成装置の露光装置を構成するＬＥＤ電流出力部のシステムブロック図。
【符号の説明】
１…定着ローラ
２…加圧ローラ
３…定着装置
４…表示操作部
３０…画像処理装置
３１…記録紙収納部
３２…両面ユニット
３３…画像形成部
３５…画像読み取り装置
３６…自動原稿搬送装置
３７…イメージセンサ
１１０…露光装置
１１１…ＬＥＤチップアレイ（露光素子）
１１２…ＬＥＤ電流出力部（ＬＥＤ電流出力手段）
１１３…記憶手段（補正データ記憶手段）
１２０…露光装置制御手段（ＬＥＤ電流制御手段）
１２１…ＣＰＵ
１２２…ＲＡＭ
１２３…制御回路
【図１】
2004299318.tif 000003
【図２】
2004299318.tif 000004
【図３】
2004299318.tif 000005
【図４】
2004299318.tif 000006